(57)【要約】【課題】コネクタ自体に特別の機能を設けることなく、コネクタ単体で接続する場合と比較して特別な作業を追加することなく、コネクタ同士の位置合わせが容易に行え、なおかつ、安全にコネクタの接続作業性を向上させることができるコネクタ接続用補助具を提供すること。【課題を解決するための手段】基板に配設された受け側コネクタと、該受け側コネクタに接続される差込側コネクタとの接続作業性を向上させるコネクタ接続用補助具であって、前記受け側コネクタを配置する受け側コネクタ配置部と、前記受け側コネクタに接続される差込側コネクタを配置する差込側コネクタ配置部とを備え、前記差込側コネクタ配置部側と受け側コネクタ配置部側との境界付近に差込側コネクタ配置部に配置された差込側コネクタを受け側コネクタ配置部に配置された受け側コネクタ側に導く誘導部を形成した。【選択図】図１
2014063706.tif 000002
【特許請求の範囲】
【請求項１】
基板に配設された受け側コネクタと、該受け側コネクタに接続される差込側コネクタとの接続作業性を向上させるコネクタ接続用補助具であって、
前記受け側コネクタを配置する受け側コネクタ配置部と、
前記受け側コネクタに接続される差込側コネクタを配置する差込側コネクタ配置部とを備え、
前記差込側コネクタ配置部側と受け側コネクタ配置部側との境界付近に
差込側コネクタ配置部に配置された差込側コネクタを受け側コネクタ配置部に配置された受け側コネクタ側に導く誘導部を形成したこと
を特徴とするコネクタ接続用補助具。
【請求項２】
前記誘導部は、前記差込側コネクタ配置部と、受け側コネクタ配置部に配置された受け側コネクタとの、段差を解消する段差解消部が形成されることを特徴とする請求項１記載のコネクタ接続用補助具。
【請求項３】
前記受け側コネクタ配置部及び差込側コネクタ配置部には、
これらコネクタを載置する載置部と、該載置部に立設されてコネクタの外郭部を支持する壁部とが形成されることを特徴とする請求項２に記載のコネクタ接続用補助具。
【請求項４】
前記段差解消部は、差込側コネクタ配置部の載置部及び壁部に設けられ、
該載置部及び壁部から前記受け側コネクタに向かって連続的に設けられた斜面部により形成されることを特徴とする請求項２又は３に記載のコネクタ接続用補助具。
【請求項５】
前記受け側コネクタ配置部の壁部は、該受け側コネクタに弾性的に当接して受け側コネクタを保持する弾性保持部を備えたことを特徴とする請求項３又は請求項４に記載のコネクタ接続用補助具。
【発明の詳細な説明】
【技術分野】
【０００１】
本発明は、コネクタを接続するときの接続用補助具に関するものであり、特に、基板に配設されたコネクタの接続作業性を向上させる接続用補助具に関する。
【背景技術】
【０００２】
従来、コネクタを接続するときの接続補助機能を備えたものとして、例えば、特許文献１に示された、可撓性基板１６を回路板１７に着脱自在に接続する可撓性蝕刻回路用着脱自在コネクタが開示されている。本コネクタは、相互に入れ子状に構成された第１ハウジング１１及び第２ハウジング１２を有するもので、第１ハウジング１１には可撓性基板の端部を受けるスロットが形成されるとともに、回路板１７に取り付けられた第２ハウジング１２には底面の開口に弾性接続手段２１が挿入されて、第１ハウジング１１と第２ハウジングを嵌合状態で保持する保持手段が具備されたものである。
【０００３】
また、特許文献２には、接続補助機能を備えたコネクタを提供するに当たり、前記特許文献１においては、コネクタ自体にロック機構や不完全嵌合防止機構等の特別の機能を設ける必要があるという課題点を解決したものとして、基板５５に固定される第１コネクタ５１とケーブル５６を有する第２コネクタ５２とが嵌合可能に構成されるコネクタの嵌合を補助する嵌合補助シートが開示されている。該嵌合補助シート１２は、第１コネクタ５１と第２コネクタ５２とを嵌合状態にせしめて電気的に接続させるものであって、弾性素材から作られ、嵌合状態にあるコネクタの平面輪郭の全部あるいは大部分を包囲する開口部１１と、この開口部１１に連なり第２コネクタ５２のケーブルを固定する固定部１２とを具備することにより、コネクタの不完全な嵌合を防止するとともに、その嵌合状態を維持することができる、コネクタ接続時の接続補助具を提供している。
【先行技術文献】
【特許文献】
【０００４】
【特許文献１】特開平６−２３１８３８号公報（図１）
【特許文献２】特開２００５−２１６５２３号公報（図１）
【発明の概要】
【発明が解決しようとする課題】
【０００５】
特許文献１においては、安価な可撓性基板用の着脱作業を容易化したコネクタを提供することでき、特許文献２によれば、コネクタ自体に特別の機能を設けることなく、コネクタの不完全な嵌合を防止するとともにその嵌合状態を維持することができる汎用性のある簡単なコネクタ嵌合補助具を提供することができるものである。
【０００６】
しかしながら、特許文献１に開示された可撓性基板用の着脱作業を容易化したコネクタや、特許文献１の課題を解決した特許文献２に開示されたコネクタ自体に特別の機能を設けることなく構成された汎用性のあるコネクタ嵌合補助具を用いたとしても、一方のコネクタに他方のコネクタを接続する場合には、夫々のコネクタの位置を合わせて接続する必要が生ずる。例えば、特許文献２においては、コネクタの接続手順として、使用者は、まず、シート１０における開口部１１の開口１１ａに第２コネクタ５２を嵌め込む。そして、第２コネクタ５２の両端部およびケーブル側の縁部を開口１１ａの固定部１２寄り部分に当接させた状態で、固定部１２の上面にケーブル５６の基板対向面（下面）５６ａを接着剤で貼り付けて固定する。次いで、シート１０の固定部１２の下面と固定部１２の上面に固定されたケーブル５６の上面とを指で挟み持つ。
【０００７】
その後、基板５５の端縁寄り個所に取り付けられた第１コネクタ５１にシート１０における開口部１１の先端側の縁部を当接させる。すると、シート１０は、それ自体の弾性により上方へ撓み、第１コネクタ５１に乗ることになるので、そのまま第２コネクタ５２を第１コネクタ５１の方向へ押し進める。そして、第２ コネクタ５２を第１コネクタ５１に挿入することで、両者を嵌合させて、コネクタ５０による電気的接続を行う。これにより、シート１０は、それ自体の弾性で、第１コネクタ５１を乗り越えて平坦な状態に復帰する。このとき、シート１０は、開口部１１の開口１１ａにコネクタ５０が嵌まり込み、開口部１１がコネクタ５０の平面輪郭（略長方形）の全部を包囲する状態になる。
【０００８】
このように接続作業を行うことにより、コネクタ自体に特別の機能を設けることなく、コネクタの不完全な嵌合を防止するとともにその嵌合状態を維持することができるのであるが、接続に係る作業が本接続補助シート独特の接続作業となり、これら接続作業を習得する必要性が生ずることが想定され、コネクタ単体のときと比較して接続作業が煩雑になる。また、コネクタが小さい場合や、特に、基板上の狭い場所にコネクタが複数設けられているような場所で接続作業を行う場合には、さらに、コネクタ同士の位置合わせのためにより繊細な接続作業が必要となり接続作業自体の時間が増大するとともに、コネクタ作業時に該補助シートをコネクタ周囲の部品に引っ掛けてしまい、作業者の手指を傷つけたり、周囲の部品自体を損傷してしまうなど、接続作業性が低下してしまう可能性がある。
【０００９】
特許文献１のコネクタにおいても、コネクタ同士の位置合わせ作業が必要で、接続作業性が低下する可能性が想定される。
【００１０】
そこで、本発明は、上記課題に鑑みてなされたもので、コネクタ自体に特別の機能を設けることなく、コネクタ単体で接続する場合と比較して特別な作業を追加することなく、コネクタ同士の位置合わせが容易に行え、なおかつ、安全にコネクタの接続作業性を向上させることができるコネクタ接続用補助具を提供することを目的とする。
【課題を解決するための手段】
【００１１】
本発明に係るコネクタ接続用補助具は、上述の課題を解決すべく構成されたもので、基板に配設された受け側コネクタと、該受け側コネクタに接続される差込側コネクタとの接続作業性を向上させるコネクタ接続用補助具であって、前記受け側コネクタを配置する受け側コネクタ配置部と、前記受け側コネクタに接続される差込側コネクタを配置する差込側コネクタ配置部とを備え、前記差込側コネクタ配置部側と受け側コネクタ配置部側との境界付近に差込側コネクタ配置部に配置された差込側コネクタを受け側コネクタ配置部に配置された受け側コネクタ側に導く誘導部を形成したことを特徴とする。
【００１２】
かかる構成によれば、差込側コネクタ配置部に配置した差込側コネクタを、受け側コネクタ配置部に配置した受け側コネクタ側に押しやることにより、前記誘導部により差込側コネクタが受け側コネクタ側に導かれ接続作業が行えるから、コネクタ自体に特別の機能を設けることなく、コネクタ単体で接続する場合と比較して特別な作業を追加することなく、コネクタ同士の位置合わせ作業を意識することなく接続作業を行え、なおかつ、差込側コネクタは、誘導部によって受け側コネクタ側方向に誘導されるから、周囲の部品に引っ掛かることなく安全に接続作業を行うことができて、コネクタの接続作業性を向上させることができるコネクタ接続用補助具を提供することができる。
【００１３】
また、前記誘導部は、前記差込側コネクタ配置部と、受け側コネクタ配置部に配置された受け側コネクタとの、段差を解消する段差解消部が形成される構成を採用することができる。
【００１４】
かかる構成によれば、差込側コネクタ配置部に配置した差込側コネクタを、受け側コネクタ配置部に配置した受け側コネクタ側に押しやるときにおいて、前記段差解消部によって、差込側コネクタが受け側コネクタ側に連続的に導かれるように移動させられ、コネクタの接続作業性を向上させることができる。
【００１５】
また、前記受け側コネクタ配置部及び差込側コネクタ配置部には、これらコネクタを載置するする載置部と、該載置部に立設されてコネクタの外郭部を支持する壁部とが形成される構成を採用することができる。
【００１６】
かかる構成によれば、前記配置部に対する鉛直方向及び水平方向の２方向が支持されることにより、コネクタを配置部に配置して装着作業を行う時に、コネクタのがたつきを低減して装着性を向上させることができる。
【００１７】
また、前記段差解消部は、差込側コネクタ配置部の載置部及び壁部に設けられ、該載置部及び壁部から前記受け側コネクタに向かって連続的に設けられた斜面部により形成される構成を採用することができる。
【００１８】
かかる構成によれば、差込側コネクタを受け側コネクタの方向にスライドさせることにより、前記斜面部によって差込側コネクタが受け側コネクタの方向に連続的に導かれるから、装着性を向上させることができる。
【００１９】
また、前記受け側コネクタ配置部の壁部は、該受け側コネクタに弾性的に当接して受け側コネクタを保持する弾性保持部が形成される構成を採用することができる。
【００２０】
かかる構成によれば、受け側コネクタ配置部に受け側コネクタを配置した時に、該受け側コネクタが弾性保持部により保持されるから、配置作業中に受け側コネクタが外れるなどして作業が中断されることが抑制され、誤った状態で組み立てられたり、組立作業性を損ねることがない。
【発明の効果】
【００２１】
以上の如く、本発明によれば、コネクタ自体に特別の機能を設けることなく、コネクタ単体で接続する場合と比較して特別な作業を追加することなく、コネクタ同士の位置合わせが容易に行え、なおかつ安全に、コネクタの接続作業性を向上させることができるコネクタ接続用補助具を提供することができる。その結果、コネクタが小さい場合や、基板上の狭い場所における接続作業を行う場合、さらに、接続するコネクタの数が多数の場合においても、接続作業性を低下させることなくコネクタの接続作業を効率よく行うことができる。
【図面の簡単な説明】
【００２２】
【図１】第１の実施形態を示すコネクタ接続用補助具の斜視図を示す。
【図２】同実施形態に係るコネクタ接続用補助具のＡＡ断面図を示す。
【図３】同実施形態に係るコネクタ接続用補助具を基板に配置しコネクタを装着する図を示す。
【図４】同実施形態に係るコネクタ接続用補助具の使用状態を表す図を示す。
【図５】同実施形態に係るコネクタ接続用補助具の使用状態を表す図を示す。
【図６】同実施形態に係るコネクタ接続用補助具の使用状態を表す図を示す。
【図７】同実施形態に係るコネクタ接続用補助具の使用状態を表す図を示す。
【図８】同実施形態に係るコネクタ接続用補助具が多数設けられた状態の図を示す。
【図９】第２の実施形態を示すコネクタ接続用補助具の斜視図を示す。
【図１０】同実施形態に係る平面図を示す。
【図１１】同実施形態に係る底面側からの斜視図を示す。
【図１２】従来例におけるハンドルロック装置を示す。
【図１３】従来例におけるハンドルロック装置を示す。
【発明を実施するための形態】
【００２３】
本発明におけるコネクタ接続用補助具は、基板に配設された受け側コネクタと、該受け側コネクタと対をなして受け側コネクタと接続される差込側コネクタとの接続作業性を向上させるコネクタ接続用の補助具である。
【００２４】
まず、本実施形態に係るコネクタ接続用補助具の構成について、図１乃至図３を参酌しつつ説明する。図１にはコネクタ接続用補助具の外観斜視図を示し、図２には該コネクタ接続用補助具における要部断面図を示す。図３にはコネクタ接続用補助具に配置されるコネクタと基板とを併記した図を示す。
【００２５】
コネクタ接続用補助具１０の本体１００は、絶縁性を有する、例えば樹脂成形品から形成される。前記本体１００は、受け側コネクタ２００を配置するための受け側コネクタ配置部１０１と、該受け側コネクタ２００に接続される差込側コネクタ３００を配置するための差込側コネクタ配置部１０２とを備え、これら受け側コネクタ配置部１０１と差込側コネクタ配置部１０２とは並設されている。配置部１０１、１０２にはコネクタを載置するための載置部１０１１、１０１２と、前記並設方向に前記載置部の両側から立設される壁部１０１２、１０２２が設けられている。
【００２６】
以下、本体１００において、前記配置部が並設される方向を長手方向とし、前記壁部が立設する方向を高さ方向とし、前記両側から立設される壁部が対向する方向を幅方向として説明を行う。
【００２７】
まず、受け側コネクタ配置部１０１、及び差込側コネクタ配置部１０２について説明を行う。
【００２８】
受け側コネクタ配置部１０１は、受け側コネクタ２００を固定的に配置する部分である。
該受け側コネクタ配置部１０１は、前記受け側コネクタ２００を載置する載置部１０１１と、受け側コネクタ２００の外郭幅方向を支持する壁部１０１２が設けられている。
【００２９】
対向する壁部１０１２同士の内側面間の距離及び長手方向における長さは、受け側コネクタ２００の幅方向の大きさ及び長手方向における長さと略一致させている。
また、載置部１０１１には、受け側コネクタ２００に設けられたコネクタピンを貫通させて基板に取り付けるための貫通孔１０４を設けている。
【００３０】
差込側コネクタ配置部１０２は、差込側コネクタ３００を受け側コネクタ２００に差込む時に一時的に該差込側コネクタ３００を配置する部分である。
該差込側コネクタ配置部１０２も前記受け側コネクタ配置部１０１と同様に、該差込側コネクタ配置部１０２には、前記差込側コネクタ３００を載置する載置部１０２１と、差込側コネクタ３００の外郭幅方向を支持する壁部１０１２が設けられている。
【００３１】
対向する壁部１０２２同士の内側面間の距離は差込側コネクタ３００の幅方向の大きさよりも幾分大きく形成し、又、長手方向の長さは、前記長手方向に差込側コネクタ３００が進退自在となるよう該差込側コネクタ３００の長さよりも長く形成している。
【００３２】
即ち、受け側コネクタ２００は、受け側コネクタ配置部１０１に配置されることにより壁部により受け側コネクタ２００の外郭部が支持されるとともに、貫通孔１０４にコネクタピンが貫通されて、該コネクタピンが基板に取付けられることにより、受け側コネクタ１０１の位置が固定され、差込側コネクタ３００は、差込側コネクタ配置部１０２に配置されることにより壁部により差込側コネクタ３００の外郭部が支持されて前記幅方向におけるがたが抑制される一方、長手方向においては受け側コネクタ２００に対して進退自在に設けられる。
【００３３】
次に、これら配置部１０１、１０２の境界付近に形成された誘導部について説明を行う。
【００３４】
差込側コネクタ配置部１０２と受け側コネクタ配置部１０１との境界付近には、前記差込側コネクタ配置部１０２に配置された差込側コネクタ３００を、受け側コネクタ配置部１０１に配置された受け側コネクタ２００側に導く誘導部（第一の誘導部１０３ａ、第二の誘導部１０３ｂ、第三の誘導部１０３ｃ）が形成される。第一の誘導部１０３ａ及び第二の誘導部１０３ｂは前記壁部に形成され、第三の誘導部１０３ｃは前記載置部に形成される。
【００３５】
これら誘導部は、差込側コネクタ配置部１０２側から受け側コネクタ配置部１０１に配置された受け側コネクタ２００側に向かって幅方向と高さ方向が徐々に狭まっていくように形成されている。
【００３６】
前記誘導部は、前記差込側コネクタ配置部１０２と、受け側コネクタ配置部１０１に配置された受け側コネクタ２００の内側面（２０１ａ、２０１ｂ、２０１ｃ）との段差を解消するよう構成された段差解消部（１０３ａ１、１０３ｂ１、１０３ｃ１）によって形成される。段差解消部１０３ａ１及び１０３ｂ１は幅方向における段差を解消する部分であり、段差解消部１０３ｃ１は高さ歩行における段差を解消する部分である。
【００３７】
より詳しくは、前記段差解消部（１０３ａ１、１０３ｂ１、１０３ｃ１）は、差込側コネクタ配置部１０２の配置面から受け側コネクタ２００の内側面（２０１ａ、２０１ｂ、２０１ｃ）までを連続的につなぐ斜面部により形成される。斜面部の終端部は受け側コネクタ配置部１０１に対しては段差部（１０３ｄ１、１０３ｄ２、１０３ｄ３）を形成するよう切り落とされる形状となっている。受け側コネクタ配置部１０１に配置される受け側コネクタ２００は該斜面部の終端部の段差部（１０３ｄ１、１０３ｄ２、１０３ｄ３）によっても配置位置が一義的に決まる。
【００３８】
また、本体１００の長手方向において、差込側コネクタ配置部１０２の前記誘導部１０３とは反対側の端部には、長手方向端部側に向かって滑らかに盛り上がるように形成された斜面部１０５が設けられる。該斜面部１０５によって、差込側コネクタ配置部１０２に差込側コネクタ３００を配置するとき、前記載置部１０２１に向かって差込側コネクタ３００を滑り込ませやすくなる。
【００３９】
次に、差込側コネクタ３００を受け側コネクタ２００に接続するときの作業について図４乃至図７を参酌しつつ説明する。
【００４０】
まず、予め、コネクタ接続用補助具１０の本体１００を、受け側コネクタ２００を基板１に取付けるときに合わせて該基板に取り付けておく。より詳しくは、受け側コネクタ２００のコネクタピン２０１を、本体１００の受け側コネクタ配置部１０１に設けられた貫通孔１０４に貫通させて、本体１００とともに基板１側に電気的に取付けておく。即ち、高さ方向において、本体１００は基板１と受け側コネクタ２００に、受け側コネクタ配置部１０１の部分が挟まれて基板上に配置された状態となっている。
【００４１】
この状態において、本体１００の長手方向、又は、斜め上方から差込側コネクタ配置部１０２に向けて、差込側コネクタ３００をセットしていく。概ね、壁部１０２２と斜面部１０５で構成される長手方向端部を目安に差込側コネクタ３００を滑り込ませていくと、前記斜面部１０５に沿って、壁部１０２２、斜面部１０５、段差解消部１０３の形成によって周囲よりも相対的に凹んだ載置部１０２１に差込側コネクタ３００が導かれ、配置される。
【００４２】
続いて、受け側コネクタ２００の方向に差込側コネクタ３００を押しやっていくと、差込側コネクタ３００の受け側コネクタ面側の外郭が、前記段差解消部（１０３ａ１、１０３ｂ１、１０３ｃ１）として形成された斜面に沿って移動していく。ここで前記段差解消部は、差込側コネクタ配置部１０２の配置面から受け側コネクタ２００の内側面（２０１ａ、２０１ｂ、２０１ｃ）までを連続的につなぐよう、幅方向と高さ方向が徐々に狭まっていくように形成されているから、差込側コネクタ３００を移動させていくにつれて、該差込側コネクタ３００の幅方向及び高さ方向の位置が徐々に所定の位置、即ち、受け側コネクタ２００の内側面の周縁部に誘導されていき、最後には、差込側コネクタ３００の外郭が、受け側コネクタ２００の内側面の周縁部と略一致する位置にまで移動する。
【００４３】
この状態では、差込側コネクタ３００の外郭が、受け側コネクタ２００の内側面の周縁部と略一致しているから、そのまま、さらに差込側コネクタ３００を受け側コネクタ２００の方向に押しやると、差込側コネクタ３００の外郭が受け側コネクタ２００の内側面に沿って挿入されていき、コネクタ同士の嵌合が行われ、接続が完了する。
【００４４】
このように、コネクタ接続作業時においては、コネクタ接続用補助具１０の長手方向において差込側コネクタ３００を受け側コネクタ２００の方向に押しやるだけで、コネクタ同士の接続が完了する。即ち、差込側コネクタ３００の外郭と、受け側コネクタ２００の内側面との位置合わせを何ら意識することなく、しかも、接続のための特別な作業を要することなく、なおかつ、コネクタ接続用補助具１０は予め基板上に配置されているから、接続時に接続用補助具が周囲に引っ掛かったり、コネクタ自体が周囲の部品に引っ掛かったりすることなく安全にコネクタ同士の接続作業を行うことができる。
【００４５】
したがって、コネクタ自体には特別の機能を設けることなく、コネクタ単体で接続する場合と比較して特別な作業を追加することなく、コネクタ同士の位置合わせが容易に行え、なおかつ安全にコネクタの接続作業性を向上させることができるコネクタ接続用補助具を提供することができる。
【００４６】
また、図８に多数の受け側コネクタ２００を並設して基板１上に配置した図を示すが、この場合も、予め、コネクタ接続用補助具１０の本体１００を基板１上に配置しておくことにより、夫々の受け側コネクタ２００に対する差込側コネクタ３００の接続作業が簡便になる。
【００４７】
基板上に多数の受け側コネクタ２００が配置されており、これら受け側コネクタ２００に対して差込側コネクタ３００を接続していく場合には、ひとつひとつのコネクタ接続作業に効率化が求められる。しかしながら、従来技術として示したように、例えば、特許文献２に示される接続作業、即ち、使用者は、まず、シート１０における開口部１１の開口１１ａに第２コネクタ５２を嵌め込む。そして、第２コネクタ５２の両端部およびケーブル側の縁部を開口１１ａの固定部１２寄り部分に当接させた状態で、固定部１２の上面にケーブル５６の基板対向面（下面）５６ａを接着剤で貼り付けて固定する。次いで、シート１０の固定部１２の下面と固定部１２の上面に固定されたケーブル５６の上面とを指で挟み持つ。その後、基板５５の端縁寄り個所に取り付けられた第１コネクタ５１にシート１０における開口部１１の先端側の縁部を当接させる。すると、シート１０は、それ自体の弾性により上方へ撓み、第１コネクタ５１に乗ることになるので、そのまま第２コネクタ５２を第１コネクタ５１の方向へ押し進める。そして、第２ コネクタ５２を第１コネクタ５１に挿入することで、両者を嵌合させて、コネクタ５０による電気的接続を行う、といった接続作業をすべてのコネクタに対して行う場合、接続のためにかなりの労力を必要とする。
【００４８】
一方、コネクタ接続用補助具１０を用いる場合には、作業者は、受け側コネクタ２００側に差込側コネクタ３００を押しやっていくだけで、連続的に接続作業が完了するので、至極接続作業の効率が良い。
【００４９】
次にコネクタ接続用補助具の第二の実施形態について説明する。図９に第二の実施形態におけるコネクタ接続用補助具の構成を示した。第一の実施形態と、第二の実施形態においては、夫々受け側コネクタ２００と差込側コネクタ３００の配置部が備えられる点、誘導部が備えられる点、及び壁部が備えられるという基本的な構成は同様である。一方、主な相違点は、まず、受け側コネクタ２００について該受け側コネクタ２００の配置を行い易くするとともに、該受け側コネクタ２００の配置部におけるホールド性を向上させた点である。次に、差込側コネクタ３００の差込側コネクタ配置部１０２への配置を行い易くした点である。これらについて以下説明する。
【００５０】
第二の実施形態におけるコネクタ接続用補助具１１においては、第一の実施形態におけるコネクタ接続用補助具１０における壁部１０１２を、受け側コネクタ配置部１０１の長手方向端部にも形成し、該受け側コネクタ配置部１０１の外周を囲繞するように壁部１１１２ａ，１１１２ｂ，１１１２ｃを一体に設けて、受け側コネクタ２００を配置部において保持する受け側コネクタ保持壁１１１２を設けている。
【００５１】
壁部１１１２ａ〜１１１２ｃのうち、幅方向に形成される壁部１１１２ｂは、その一部が受け側コネクタ配置部１１１の内側に膨らんだ形状に形成されており、より詳しくは長手方向の中央部付近が受け側コネクタ配置部１１１の幅方向内側に屈曲形成されている。壁部１１１２ａと、該壁部１１１２ａと対向する保持壁１１１２ｂとの屈曲部分の距離は、受け側コネクタ２００の幅方向の寸法よりも小さくなるように設けられている。
【００５２】
一方、コネクタ接続用補助具１１における高さ方向においては、受け側コネクタ配置部１１１及び差込側コネクタ配置部１１２ともに、外側から内側にかけて間口が除去に狭くなるように、壁部の端部がテーパー形状に形成されており、コネクタを配置するときに、載置部に誘い易く構成されている。
【００５３】
また、差込側コネクタ配置部１１２側に形成される壁部１１２２ａ、１１２２ｂは、それぞれ長手方向の端部形状が高さ方向において、徐々に低くなるように、即ち、差し込む方向において徐々に高くなっていくように形成されており、差込側コネクタ３００を差込突起配置部１１２に配置するときに載置部１１２１に誘い込みやすく形成している。
【００５４】
第二の実施形態においては、このようにコネクタ接続用補助具１１を構成することにより、コネクタ接続用補助具１１の本体を基板１に取り付けるときにおいて、コネクタ接続用補助具１１の受け側コネクタ配置部１１１に受け側コネクタ２００を配置する際、受け側コネクタ保持壁１１１２によって、特に壁部１１１２ｂによって、受け側コネクタ２００が載置部における所定位置に弾性的に挟み込まれて保持されることにより、安定して配置できるという効果を奏する。
【００５５】
また、載置部に向けて嵌め込んでいく際に、上方側が口開き形状となっているため、受け側コネクタ２００を嵌め込み易いという効果を奏する。
【００５６】
さらに、差込側コネクタ３００を差込側コネクタ配置部１１２に配置する場合においても、差込側コネクタ配置部１１２側に形成される壁部１１２２ａ、１１２２ｂが、長手方向の端部形状が高さ方向において、徐々に低くなっている構造を採用しているため、差込側コネクタ３００が配置部に誘導され易く、所定位置に配置させ易い。
【００５７】
尚、本発明は、上記実施形態に限定されるものではなく、本発明の要旨を逸脱しない範囲で種々の変更が可能である。
【００５８】
例えば、前記段差解消部１０３ａ１、１０３ｂ１、１０３ｃ１としての斜面部は直線的に設ける他、湾曲した形状に形成してもよい。差込側コネクタ配置部１０２側から、受け側コネクタ２００の内側面側にかけて徐々に勾配が大きくなる２次曲線状の湾曲とすることにより、差込側コネクタ３００を受け側コネクタ２００側に押しやっていくときに、誘導具合が緩やかな状態から徐々に急峻となっていき誘導される節度を把握でき、作業者にとって操作感の向上が期待できる。
【００５９】
また、本体１００の長手方向において、差込側コネクタ配置部１０２の前記誘導部１０３とは反対側の端部には、長手方向端部側に向かって滑らかに盛り上がるように形成された斜面部１０５が設けられることに加え、壁部１０２２についても、長手方向端部側に向かって滑らかに広がるように誘い部を形成することで、差込側コネクタ配置部１０２に差込側コネクタ３００を配置するときに、載置部１０２１に差込側コネクタ３００をより滑り込ませやすくなり、作業性の向上が期待できる。
【符号の説明】
【００６０】
１  基板
１０，１１  コネクタ接続用補助具
１００  本体
１０１，１１１  受け側コネクタ配置部
１０１１，１１１１  載置部
１０１２，１１１２  壁部
１０２，１１２  差込側コネクタ配置部
１０２１，１１２１  載置部
１０２２，１１２２  壁部
１０３ａ  第一誘導部
１０３ｂ  第二誘導部
１０３ｃ  第三誘導部
１０３ａ１  段差解消部
１０３ｂ１  段差解消部
１０３ｃ１  段差解消部
１０４  貫通孔
１０５  斜面部
２００  受け側コネクタ
２０１ａ  内側面
２０１ｂ  内側面
２０１ｃ  内側面
３００  差込側コネクタ
【図１】
2014063706.tif 000003
【図２】
2014063706.tif 000004
【図３】
2014063706.tif 000005
【図４】
2014063706.tif 000006
【図５】
2014063706.tif 000007
【図６】
2014063706.tif 000008
【図７】
2014063706.tif 000009
【図８】
2014063706.tif 000010
【図９】
2014063706.tif 000011
【図１０】
2014063706.tif 000012
【図１１】
2014063706.tif 000013
【図１２】
2014063706.tif 000014
【図１３】
2014063706.tif 000015